(57)【要約】【課題】高濃度オゾン水で洗浄することができ、小型化を図れ、しかも給水・排水量も極めて少なくコスト低減を図ることのできるオゾン水洗浄装置を提供する。【解決手段】オゾン水洗浄装置１００は、陽イオン交換膜１０２の一方の面に陽極電極１０３を圧接させ、他方の面に陰極電極１０４を圧接してなる触媒電極１０１が設けられ、陽極電極１０３と陰極電極１０４との間に直流電圧を印加し、陽極電極１０３に原料水を連続接触させることによりオゾン水を生成する水槽１と、水槽１の上方に設けられたドーム２と、ドーム２内で水槽１内のオゾン水を噴射する噴射手段４〜７と、ドーム２の壁面に形成されて被洗浄体Ｓが挿入される開口部２５とを備えている。【選択図】図１
2007136381.tif 000002
【特許請求の範囲】
【請求項１】
陽イオン交換膜の一方の面に陽極電極を圧接させ、他方の面に陰極電極を圧接してなる触媒電極が設けられ、前記陽極電極と前記陰極電極との間に直流電圧を印加し、前記陽極電極に原料水を連続接触させることによりオゾン水を生成する水槽と、
前記水槽の上方に設けられたドームと、
前記ドーム内で前記水槽内のオゾン水を噴射する噴射手段と、
前記ドームの壁面に形成されて被洗浄体が挿入される開口部とを備えていることを特徴とするオゾン水洗浄装置。
【請求項２】
前記ドーム内に挿入された被洗浄体に乾燥用の風を送る送風手段を備えていることを特徴とする請求項１に記載のオゾン水洗浄装置。
【請求項３】
前記ドーム内のオゾン含有空気をドーム外に排気させ、排気中のオゾン含有空気をオゾン分解触媒で分解する排気手段を備えていることを特徴とする請求項１又は２に記載のオゾン水洗浄装置。
【請求項４】
前記ドーム内に設けられて、前記噴射手段によって噴射されるオゾン水のオゾン濃度を検出する濃度検出手段と、
前記濃度検出手段によって検出されたオゾン濃度に基づいて前記触媒電極への通電を制御する通電制御手段とを備えていることを特徴とする請求項１〜３のいずれか一項に記載のオゾン水洗浄装置。
【請求項５】
前記濃度検出手段によって検出したオゾン濃度に応じて点灯する点灯手段を備えていることを特徴とする請求項４に記載のオゾン水洗浄装置。
【発明の詳細な説明】
【技術分野】
【０００１】
本発明は、オゾンが高濃度で溶解しているオゾン水を利用して、特に手指を殺菌するオゾン水洗浄装置に関する。
【背景技術】
【０００２】
現在、医療従業者、食品加工に従事する作業者、クリーンルームで半導体や薬品等の微生物の汚染を避けなければならない分野では、作業前に手指のアルコール噴霧殺菌がもっとも普及している。
しかしながら、最近の微生物研究の知見として、アルコール殺菌では殺菌できない微生物が数多く発見され、特に生活の身近にいるというノロウィルスにはアルコールでは殺菌できないことが発表され、それに代わる無害の殺菌方法が要求されている。そのうち最も効果があるとされているのがオゾン水である。
現在、産業用に普及しているオゾン水の製法は大別して放電により生成したオゾンガスに溶解させるガス溶解法、電解により生成したオゾンガスを水に溶解させる電解ガス溶解法、電解面に原料水を直接接触させてオゾン水を生成させる直接電解法（例えば、特許文献１参照）の３方式が実用されている。
【特許文献１】特開平８−１３４６７８号公報
【発明の開示】
【発明が解決しようとする課題】
【０００３】
しかしながら、オゾン水を手指に殺菌するために市販されている装置としては、１〜２ｐｐｍの比較的低濃度のオゾン水を毎分数Ｌ流し、その水流中に手指を浸すため、専用の給水管と排水管を必要とし、また、給水・排水量も多いので著しく利便性の悪いものであった。例外として、医療用に認可された医療現場用の手洗い機があり、オゾン濃度は４ｐｐｍと高濃度であるが、二酸化鉛電極による複雑な電解オゾン発生機構により著しく高価で大型であり、利便性に欠けていた。
本発明は、上記事情に鑑みてなされたもので、高濃度オゾン水で洗浄することができ、小型化を図れ、しかも給水・排水量も極めて少なくコスト低減を図ることのできるオゾン水洗浄装置を提供することを目的としている。
【課題を解決するための手段】
【０００４】
そこで、上記課題を解決するため、請求項１の発明は、例えば、図１〜図３に示すように、陽イオン交換膜１０２の一方の面に陽極電極１０３を圧接させ、他方の面に陰極電極１０４を圧接してなる触媒電極１０１が設けられ、前記陽極電極と前記陰極電極との間に直流電圧を印加し、前記陽極電極に原料水を連続接触させることによりオゾン水を生成する水槽１と、
前記水槽の上方に設けられたドーム２と、
前記ドーム内で前記水槽内のオゾン水を噴射する噴射手段（例えば、流出管４、押し出しポンプ５、配管チューブ６及びノズル７）と、
前記ドームの壁面に形成されて被洗浄体Ｓが挿入される開口部２５とを備えていることを特徴とする。
【０００５】
請求項１の発明によれば、触媒電極が設けられてオゾン水が生成される水槽と、水槽の上方に設けられたドームと、ドーム内で水槽内のオゾン水を噴射する噴射手段と、ドームに形成されて被洗浄体が挿入される開口部とを備えているので、陽極電極と陰極電極との間に直流電圧を印加し、陽極電極に原料水を連続接触させることによって原料水の電気分解により陽極電極面にオゾン気泡が発生し、陰極電極面に水素気泡が発生する。そして、発生したオゾン気泡は原料水に連続接触されることにより、原料水に確実に溶解して高濃度のオゾン水が生成される。さらに生成されたオゾン水は、噴射手段によってドーム内で噴射されるため、高濃度の状態でオゾン水洗浄することができる。また、高濃度のオゾン水であるから、少量で洗浄することができ、給水・排水量も極めて少なくコストを低減できる。また、水槽の上方に、被洗浄体が挿入されるドームが設けられているため、コンパクトで場所を取ることもなく汎用性を向上させることができる。
【０００６】
請求項２の発明は、例えば、図１〜図３に示すように、請求項１に記載のオゾン水洗浄装置２００において、
前記ドーム内に挿入された被洗浄体に乾燥用の風を送る送風手段（例えば、ドライヤー８）を備えていることを特徴とする。
【０００７】
請求項２の発明によれば、ドーム内に挿入された被洗浄体を送風手段で乾燥用の風を送ることにより、オゾン水洗浄後の被洗浄体を乾燥させることができる。
【０００８】
請求項３の発明は、例えば、図２、図３に示すように、請求項１又は２に記載のオゾン水洗浄装置において、
前記ドーム内のオゾン含有空気をドーム外に排気させ、排気中のオゾン含有空気をオゾン分解触媒で分解する排気手段（例えば、排気口２４a及び排気ファン２４）を備えていることを特徴とする。
【０００９】
請求項３の発明によれば、ドーム内のオゾン含有空気をドーム外に排気させ、排気中のオゾン含有空気をオゾン分解触媒で分解するので、オゾンガスを外部に排出させることなく環境保護の観点で優れる。
【００１０】
請求項４の発明は、例えば、図１〜図３に示すように、請求項１〜３のいずれか一項に記載のオゾン水洗浄装置において、
前記ドーム内に設けられて、前記噴射手段によって噴射されるオゾン水のオゾン濃度を検出する濃度検出手段（例えば、ドーム内濃度検出センサ９）と、
前記濃度検出手段によって検出されたオゾン濃度に基づいて前記触媒電極への通電を制御する通電制御手段（例えば、電源装置１１）とを備えていることを特徴とする。
【００１１】
請求項４の発明によれば、濃度検出手段で検出したオゾン濃度に基づいて通電制御手段が触媒電極への通電を制御するので、常に所定のオゾン濃度を維持した状態で被洗浄体を洗浄することができる。
【００１２】
請求項５の発明は、例えば、図１〜図３に示すように、請求項４の記載のオゾン水洗浄装置において、
前記濃度検出手段によって検出したオゾン濃度に応じて点灯する点灯手段（例えば、ＬＥＤ１０）を備えていることを特徴とする。
【００１３】
請求項５の発明によれば、点灯手段の点灯によってオゾン濃度が所定濃度に達しているか否かを容易に確認することができる。
【発明の効果】
【００１４】
本発明によれば、高濃度オゾン水で被洗浄体を洗浄することができ、また、コンパクトで場所を取らず、給水・排水量も極めて少なくコストを低減でき、汎用性を向上させることができる。
【発明を実施するための最良の形態】
【００１５】
以下、本発明の実施の形態について図面を参照しながら説明する。
図１は、本発明に係るオゾン水洗浄装置２００の正断面図、図２は、オゾン水洗浄装置２００の側断面図、図３は、オゾン水洗浄装置２００の平断面図である。
本発明のオゾン水洗浄装置２００は、水槽１内でオゾン水が生成されて、生成されたオゾン水が、水槽１の上方に設けられたドーム２内で噴射されて、ドーム２内に挿入された被洗浄体（例えば、手指等）Ｓを洗浄する装置である。
水槽１の上端部側面には、水槽１内に原料水（例えば、水）を供給する給水管３が接続されており、水槽１の下端部側面に、水槽１内で生成されたオゾン水を水槽１外に流出する流出管４が接続されている。流出管４は、水槽１の下端部側面から側方に延出して押し出しポンプ５に接続されている。さらに、押し出しポンプ５には径の小さな例えばチューブ等の配管６が接続されており、この配管チューブ６が上方に延出して後述するドーム部２１内に配されて、ドーム部２１の内面天井部に設けられたノズル７に接続されている。これら流出管４、押し出しポンプ５、配管チューブ６及びノズル７によって噴射手段が構成されている。
【００１６】
また、水槽１の上側には、手指等の被洗浄体Ｓが挿入されて、オゾン水が噴射されるドーム２が設けられている。
ドーム２は、上向きに凸となるドーム部２１と、ドーム部２１の下側開口部２１aを塞ぐとともにドーム部２１を支持する支持体２２とを備えている。支持体２２は、内部が空洞の円錐台形状をなしており、水槽１の上面に載置されるとともに、その上面でドーム部２１を支持している。そして、支持体２２の上面に、ドーム部２１内に連通し洗浄後のオゾン水を排水するための排水穴２２aが形成されている。また、支持体２２の側面には、支持体２２内を流れる排オゾン水を排出する排水管２３が取り付けられている。
【００１７】
排水管２３は、支持体２２の側面から下方に延出し、その下端部に排水ノズル２３aが取り付けられている。したがって、ドーム部２１内の洗浄後の排オゾン水は、排水穴２２aを介して支持体２２内を流れ、さらに排水管２３を通って排水ノズル２３aから外部に排出されるようになっている。
また、支持体２２には、支持体２２内に連通し、ドーム部２１内のオゾン含有空気を排気するための排気口２４aが形成されており、排気口２４aには排気ファン２４が取り付けられている。これら排気口２４a及び排気ファン２４によって排気手段が構成されている。排気ファン２４は、排気口２４aを介して排気されたオゾン含有空気を外部に排気させるとともに、オゾン含有空気をオゾン分解触媒で分解する。オゾン分解触媒としては、例えば、活性炭ハニカム等が挙げられる。すなわち、活性炭ハニカムにオゾン含有空気を通すことによってオゾン含有空気からオゾンが分解される。
【００１８】
また、ドーム部２１の側面中央にはドーム部２１内に貫通する円形状の開口部２５が形成され、開口部２５から被洗浄体Ｓがドーム部２１内に挿入自在となっている。ドーム部２１の左右側面には、ドライヤー（送風手段）８がそれぞれ取り付けられており、開口部２１からドーム部２１内に挿入された被洗浄体Ｓに、オゾン水洗浄後、左右からドライヤー８の乾燥用の風が送られるようになっている。
【００１９】
ドーム部２１の内面天井部には、ノズル７が取り付けられ、ノズル７は水槽１に繋がる配管チューブ６の先端に接続されている。したがって、水槽１で生成されたオゾン水が押し出しポンプ５によって流出管４及び配管チューブ６内を流れ、ノズル７からオゾン水が噴射されるようになっている。
また、このドーム部２１の内面下端部に、ノズル７から噴射されたオゾン水のオゾン濃度を検出するドーム内濃度検出センサ（濃度検出手段）９が設けられている。ドーム内濃度検出センサ９は、図示しないが検出電極と電位測定の基準となる比較電極、これら検出電極及び比較電極の一方の端部に結線して電位を測定する電位差計等から構成されている。したがって、検出電極及び比較電極の先端部（他方の端部）を被洗浄体Ｓに噴射するオゾン水に接触させ、検出電極のオゾン濃度変化による検出電極と比較電極との電位差を検出して濃度を測定する。
検出電極としては、例えば白金や金等からなる電極を使用し、比較電極としては銀／塩化銀を使用することが好ましい。
このようにして検出されたオゾン濃度と、予め設定されたオゾン濃度とが一致するように、後述する電源装置１１が陽極電極１０３及び陰極電極１０４間の直流電圧を制御するように構成されている。
【００２０】
ここで、設定濃度としては、少なくとも３ｐｐｍ以上であることが好ましく、望ましくは４ｐｐｍ以上である。３ｐｐｍ以上とすればオゾン水がアルコールに勝る殺菌性を有し、上述のノロウィルスは元より、難殺菌性の桿菌さえも短時間で殺菌できるためである。また、３ｐｐｍ以上の高濃度オゾン水とすれば、手指の殺菌には数１０ｍｌ、多くとも１００ｍｌのオゾン水量があれば手指の全面を殺菌することができ、給水・排水量を極めて少なくすることができ、コストの低減を図ることができるためである。
【００２１】
ドーム部２１の外面天井部には、ＬＥＤ（点灯手段）１０が取り付けられており、ドーム内濃度検出センサ９によって検出されたオゾン濃度に応じてＬＥＤ１０が点灯するようになっている。具体的に、オゾン濃度が所定濃度に達している場合にはＬＥＤ１０が点灯し、所定濃度に達していない場合にはＬＥＤ１０が点灯しない。これによって、オゾン水が所定濃度で噴射されているかどうかを容易に視認することができる。
【００２２】
また、ドーム部２１の開口部２５近傍に被洗浄体Ｓの挿入を検出する挿入検出センサ（図示しない）が設けられている。挿入検出センサにより、被洗浄体Ｓの挿入が検出されると、オゾン水が噴射され、被洗浄体Ｓがドーム部２１から出されるとドライヤー８が停止されるようになっている。
【００２３】
一方、水槽１の下端部側面には電源装置１１が設けられている。電源装置１１は、オゾン水洗浄装置２００の全体制御を行うものである。
例えば、水槽１内でのオゾン水を生成するために、後述するように水槽１内に原料水を供給したり、触媒電極１０１に直流電圧を印加したり、また攪拌装置を駆動させるように制御する。さらに、ドーム２１内でオゾン水を噴射させるために、各種構成部品の駆動を制御している。具体的には、挿入検出センサによる被洗浄体Ｓの挿入を検出することにより、水槽１内から流出管４へオゾン水を流入させて噴射させ、所定量のオゾン水を噴射した後、ドライヤー８を駆動させ、被洗浄体Ｓがドーム部２１から出されるとドライヤー８を停止するよう制御している。また、ドーム２内のオゾン濃度や、水槽１内のオゾン濃度が設定濃度となるように、ドーム内濃度検出センサ９や後述の水槽内濃度検出センサの検出結果に応じて、触媒電極１０１への通電を制御している。
【００２４】
また、水槽１、支持体２２、給水管３、排水管２３及び流出管４、電源装置１１等は、ケース本体１２に収容されている。そして、ケース本体１２には、外側から常に確認できるように水槽１内のオゾン水の水位を計測する水位計１３が設けられており、さらに水槽１内で生成されたオゾン水のオゾン濃度を後述する水槽内濃度検出センサによって検出し、その濃度を表示する濃度表示器１４が取り付けられている。さらに、オゾン水洗浄装置２００の電源をオン・オフするための電源スイッチ１５も設けられている。
【００２５】
ここで、オゾン水が生成される水槽１について説明する。
図４は、水槽１内を示した水槽１の斜視図、図５は、水槽１の側断面図、図６は、水槽１の平断面図である。なお、図４〜図６では給水管３及び流出管４の図示を省略している。
水槽１内には、給水管３から原料水が供給されて原料水で満たされており、触媒電極１０１が配置されている。そして、触媒電極１０１に直流電圧を印加することによってオゾン気泡を発生させて、そのオゾン気泡を原料水に溶解させることによりオゾン水が生成されるようになっている。
【００２６】
触媒電極１０１は、陽イオン交換膜１０２の一方の面に陽極電極１０３を密着させ、他方の面に陰極電極１０４を密着させてなるものである。陽極電極１０３と陰極電極１０４との間には、電源装置１１からの出力端１０５が電気的に連結され、直流電圧が印加されるように構成されている。すなわち、陽極電極１０３及び陰極電極１０４は、各電極１０３，１０４に導線を介して電源装置１０５に連結されている。印加する直流電圧は、例えば９〜１５ボルトが好ましい。
【００２７】
陽イオン交換膜１０２としては、従来公知のものを使用することができ、発生するオゾンに耐久性の強いフッ素系陽イオン交換膜を使用することができ、例えば厚さ１００〜２５０ミクロンが好ましい。
【００２８】
陽極電極１０３と陰極電極１０４とは、陽イオン交換膜１０２を全面的に覆い隠すように密着されるものではなく、多数の通孔を設けて、陽極電極１０３と陰極電極１０４とは陽イオン交換膜１０２に接触部と非接触部とを有して重ねられている。すなわち、陽極電極１０３及び陰極電極１０４はグレーチング状又はパンチングメタル状をなしている。図６ではグレーチングの場合を示している。特に、陰極電極１０４は陽極電極１０３よりも目の粗さが粗くなるように形成されている。具体的に、グレーチング状とは線材を溶接した格子状で、パンチングメタル状とは金属板に多数の通孔を形成した多孔板状である。
【００２９】
陽極電極１０３としてはオゾン発生触媒機能を有した金属を使用し、純粋なオゾン水を得るため、白金又は白金被覆金属の電極を使用することが好ましく、特に、本発明ではチタンに白金を被覆した金属を使用することが好ましい。
一方、陰極電極１０３としては、金、銀、白金、チタンの金属を使用することが好ましく、特に銀又は銀を被服した金属を使用することがより好ましい。
そして、陽極電極１０３は平面状の金属をグレーチング状に加工することが望ましい。また、被覆処理としては、例えばメッキや電着等により行うことができる。
【００３０】
このようにグレーチング状の陽極電極１０３とすることによって、陽極電極１０３を構成する部材の交点部位が尖って外面に突出し、水流と接触して渦流を生じ、陽極電極１０３で発生したオゾンの微泡を巻き込んで溶解を早めることができる。
【００３１】
また、パンチングメタル状の電極とした場合には、多孔板は略平面的であるので、多孔板と平行な水はこの多孔板内をほとんど流過しづらいので、例えば、ラス網の下に重ねて併用することがより好ましい。
【００３２】
このような陽イオン交換膜１０２、陽極電極１０３及び陰極電極１０４は、それぞれ円弧状に形成されており、これらを密着させた後、絶縁性の接合部材（図示しない）により接合されることによって触媒電極１０１とされている。
円弧状の触媒電極１０１は、水槽１の中心部側に陽極電極１０３が配置され、外側に陰極電極１０４が配置されるように水槽１内に固定されている。
水槽１内の固定方法としては、例えば、水槽１の内壁面から陰極電極１０４に向けて所定箇所に棒状の取付部材（図示しない）を設けて、これによって支持するように固定しても良い。ここで使用する取付部材は、耐オゾン性の材料からなるものが好ましい。また、その他、水槽１の底面に触媒電極１０１を直接固定しても良く、特に限定しない。
【００３３】
また、水槽１内には、円筒中心部に向けて水槽１内に旋回水流を発生させるための回転子１０６及び攪拌装置を備えている。
攪拌装置としては、マグネットスターラ１０７（図５のみ図示）を使用することが好ましい。
【００３４】
水槽１内には、水槽１内で生成されたオゾン水のオゾン濃度を検出する水槽内濃度検出センサ（図示しない）が設けられている。水槽内濃度検出センサは、上述したドーム内濃度検出センサ９と同様のものを使用することができる。
この水槽内濃度検出センサによって検出されたオゾン濃度と、予め設定されたオゾン濃度とが一致するように電源装置１１が陽極電極２２及び陰極電極２３間の電圧を制御するように構成されている。
【００３５】
したがって、上述のような触媒電極１０１を備えた水槽１においては、攪拌装置の駆動によって回転子１０６が回転すると、水槽１内に一定の速度の旋回水流が発生し、電源装置１１の駆動によって陽極電極１０３及び陰極電極１０４間に所定の電圧が印加される。この通電により、水槽１内の中心部側を旋回する原料水が陽極電極１０３に接触することによって陽極電極１０３上に酸素と多量のオゾンが発生し、発生したオゾン水が旋回水流中に溶解してオゾン水化する。陰極電極１０４では、水槽１内の内壁面側を旋回する原料水が陰極電極１０４に接触することによって水素が生成される。
また、旋回水流によって陽極電極１０３側ではわずかな陽極電極１０３の凹凸によって流れの方向が複雑に変わり、渦流が発生し、陽イオン交換膜１０２の表面に発生したオゾン気泡をいち早く水中に取り込んで溶解させることによってオゾン水を生成し、陽極電極１０３と陽イオン交換膜１０２との間に電流が多く流れる。
一方、陰極電極１０４側でも陰極電極１０４の凹凸によって流れの方向が変わるが、陽極電極１０４よりも目の粗い電極であるので、流れの方向が陽極電極１０３ほど複雑に変わることはなく、陰極電極１０４で発生した水素気泡はある程度の大きさになった後、ゆっくりと陰極電極１０４から離されてその浮力によって、水面へと上昇し、水素ガスとして系外に放出されるか、あるいは一部は流水中に取り込まれて水素懸濁水として、オゾン水と混合される。
【００３６】
また、通電中に、同時に水槽内濃度検出センサによって水槽１内の溶液の濃度が測定され、オゾン濃度が予め設定されたオゾン濃度となるように電源装置１１の陽極電極１０３及び陰極電極１０４間の電圧が制御される。
以上のようにして設定濃度のオゾン水が生成されるようになっている。
【００３７】
次に、オゾン水洗浄装置２００の動作について説明する。
まず、電源スイッチ１５がオンされると、電源装置１１が駆動して、上述のように水槽１内に給水管３を介して原料水が供給されるとともに、攪拌装置によって旋回水流が発生することで設定濃度のオゾン水が生成される。
そして、被洗浄体Ｓが開口部２５を介してドーム部２１内に挿入されると、挿入検出センサの検出により、オゾン水は流出管４へと流出されて流出管４内で押し出しポンプ５によってドーム２側へと上方に押し上げられて、流出管４の先端部に設けられたノズル７から噴射される。噴射されたオゾン水は、ドーム部２１内に挿入された被洗浄体Ｓに到達して被洗浄体Ｓが洗浄される。
洗浄後の排オゾン水は、ドーム部２１の下方の支持体２２内に排水穴２２aを介して流れ、さらに排水管２３へと流れ、外部に排水される。
また、この際に、ドーム部２１内のオゾンガス含有空気は、排気口２４aから排気されて排気ファン２４の活性炭ハニカムを通過することでオゾンが分解されて排気される。
さらに、ノズル７から所定量のオゾン水が噴射されると、ドライヤー８が駆動して、ドーム部２１内に乾燥用の風が送られる。
【００３８】
一方、ノズル７から噴射されたオゾン水は、ドーム内濃度検出センサ９によってオゾン濃度が測定され、ドーム内濃度検出センサ９で検出されたオゾン濃度が予め設定されたオゾン濃度に達している場合にはＬＥＤ１０が点灯し、設定濃度に達していない場合にはＬＥＤ１０が点灯しない。設定濃度に達していない場合には電源装置１１によって陽極電極１０３及び陰極電極１０４間の電圧が制御される。
【００３９】
なお、被洗浄体Ｓがドーム部２１から出されると、挿入検出センサの検出により、ドライヤー８が停止される。
【００４０】
以上、本発明の実施の形態によれば、触媒電極１０１が設けられてオゾン水が生成される水槽１と、水槽１の上方に設けられたドーム２と、ドーム２内で水槽１内のオゾン水を噴射する噴射手段（流出管４、押し出しポンプ５、配管チューブ６及びノズル７）と、ドーム部２１の壁面に形成されて被洗浄体Ｓが挿入される開口部２５とを備えているので、陽極電極１０３と陰極電極１０４との間に直流電圧を印加し、陽極電極１０３に原料水を連続接触させることによって水の電気分解により陽極電極１０３面にオゾン気泡が発生し、陰極電極１０４面に水素気泡が発生する。そして、発生したオゾン気泡は原料水に連続接触されることにより、原料水に確実に溶解して高濃度のオゾン水が生成される。さらに生成されたオゾン水は、ノズル７によってドーム２内で噴射されるため、高濃度の状態でオゾン水洗浄することができる。また、高濃度のオゾン水であるから、少量で洗浄することができ、給水・排水量も極めて少なくコストを低減できる。また、水槽１の上方に、被洗浄体Ｓが挿入されるドーム２５が設けられているため、コンパクトで場所を取ることもなく汎用性を向上させることができる。
また、ドライヤー８を備えているので、洗浄後の被洗浄体Ｓを乾燥させることができる。
また、排気口２４aや排気ファン２４を備えているので、ドーム２内のオゾン含有空気を排気口２４aを介して排気させて、排気中のオゾン含有空気を排気ファン２４によってオゾン分解触媒で分解するので、オゾンガスを外部に排出させることなく環境保護の観点で優れる。
【００４１】
また、オゾン水洗浄装置２００は、ドーム内濃度検出センサ９を備え、検出したオゾン濃度に基づいて触媒電極１０１への通電が制御されるので、常に所定のオゾン濃度を維持した状態で被洗浄体Ｓを洗浄することができる。その上、ドーム内濃度検出センサ９で検出したオゾン濃度に応じてＬＥＤ１０が点灯するので、オゾン濃度が所定濃度に達しているか否かを容易に確認することができる。
また、ノズル７がドーム部２の内面天井部に設けられているため、ドーム２内に挿入された被洗浄体Ｓに対して上方から下方に向けてオゾン水が流水されることにより、被洗浄体Ｓ全体にオゾン水を確実に噴射させることができ、洗浄効果を向上させることができる。
【００４２】
なお、本発明は上記実施の形態に限定されるものではなく、その要旨を逸脱しない範囲で適宜変更可能である。
例えば、上記実施の形態では、オゾン水を噴射させるノズル７をドーム部２１の内面天井部に設けてオゾン水を上方から下方へと流れるように構成したが、ノズル７をドーム部２１内の下側に設けて下方から上方へと噴射させるように構成しても良い。その他、ドーム部２１の側面にノズル７を設けて左右から噴射させるようにしても良い。さらには、ノズル７の数も一つに限らず複数設けても良い。
また、被洗浄体Ｓを挿入する開口部２５はドーム部２１の正面に一つ設けるとしたが、正面の左右にそれぞれ二カ所形成し、例えば、各開口部から右手、左手を挿入するようにしても構わない。
ドーム部２１の外面天井部にはＬＥＤ１０を設け、オゾン濃度が所定濃度に達している場合にのみＬＥＤ１０を点灯させるとしたが、複数個のＬＥＤを設けて、オゾン濃度に応じて点灯させるＬＥＤの個数を変化させても良いし、ＬＥＤの点灯色を変えるようにしても良い。
【図面の簡単な説明】
【００４３】
【図１】本発明に係るオゾン水洗浄装置２００の正断面図である。
【図２】オゾン水洗浄装置２００の側断面図である。
【図３】オゾン水洗浄装置２００の平断面図である。
【図４】水槽１内を示した水槽１の斜視図である。
【図５】水槽１の側断面図である。
【図６】水槽１の平断面図である。
【符号の説明】
【００４４】
１  水槽
２  ドーム
４  流出管
５  押し出しポンプ
６  配管チューブ
７  ノズル
８  ドライヤー
９  ドーム内濃度検出センサ
１０  ＬＥＤ
１１  電源装置
２４  排気ファン
２４a  排気口
２５  開口部
１０１  触媒電極
１０２  陽イオン交換膜
１０３  陽極電極
１０４  陰極電極
２００  オゾン水洗浄装置
Ｓ  被洗浄体
【図１】
2007136381.tif 000003
【図２】
2007136381.tif 000004
【図３】
2007136381.tif 000005
【図４】
2007136381.tif 000006
【図５】
2007136381.tif 000007
【図６】
2007136381.tif 000008